(57)【要約】【解決手段】ガラス以外の無機質材から成る板状のパネル材上へ中間膜を介在させて板ガラスを接合させる。このガラス複合板材の板ガラスの面を屋内側面として、適宜手段により下地材へ積層されて取付けられる。板ガラスは、発熱層が設けられ、暖房装置としても機能する。【課題】内装壁・外装壁・窓や床材においては、下地材に化粧材を貼り付けたり、下地材に貼った下地ボードに化粧紙やクロスを貼っているが、装飾材を現場で貼ることが多く、材料コストと手間が掛かる上、耐火性、遮音性、環境性、衛生性で十分とは云えなかった。【代表図】図１【特許請求の範囲】
【請求項１】
ガラス以外の無機質材から成る板状のパネル材上へ中間膜を介在させて板ガラスを接合させたことを特徴とするガラス複合板材。
【請求項２】
前記板ガラスは、発熱層が設けられていることを特徴とする請求項１記載のガラス複合板材。
【請求項３】
前記ガラス複合板材の板ガラスの面を屋内側面として、適宜手段により下地材へ積層されて取付けられることを特徴とする請求項１記載のガラス複合板材。
【請求項４】
ガラス以外の無機質材から成る板状のパネル材へ中間膜を介在させてパネル材を接合させると共に、該パネル材へ中間膜を介在させて板ガラスを接合させたことを特徴とするガラス複合板材。
【発明の詳細な説明】
【技術分野】
【０００１】  本発明は住宅やオフィスにおいて、ガラスとパネル材を張り合わせたガラス複合板材を用いた内装壁、外装壁、窓材や床材に関するものである。
【発明が解決しようとする課題】
【０００２】  従来、内装壁・外装壁・窓や床材においては、下地材に化粧材を貼り付けたり、下地材に貼った下地ボードに化粧紙やクロスを貼っている。図９、図１０は、従来の間仕切り壁での実施例の平面図で、図９は軽量鉄骨（ＬＧＳ）に下地合板を取付け、この合板に石膏ボード（石膏ボード）等のパネル材を貼り、その上に壁紙やクロスを貼った間仕切り壁である。図１０は下地合板を省略した間仕切り壁である。これらの建築材料は、装飾材を現場で貼る事が多く、材料コストと手間が掛かる上、耐火性、遮音性、環境性、衛生性で十分とは云えなかった。
【課題を解決するための手段】
【０００３】  本発明は、上記の課題を解消するものであり、透明ガラス、着色ガラス、塗装ガラス、膜付きガラスとパネル材を接着性のある中間膜で一体に合わせたガラス複合板材を用いることにより、従来の欠点を補うだけでなく、仕上げ表面がガラスである事から、汚れ難く退色、変色の恐れがなく、耐久性のある仕上げ材になり、下地材と一体なので施工上も取り扱い易くローコストの化粧材を提供するものである。
【０００４】  更には発熱ガラスを用いる事により、遠赤外線を放射する面発熱によりエアコン等の従来暖房での不快な空気対流がない暖房を実現する事ができる。又、ガラス表面に適宜なマット加工を施す事により、水性マーカーで書いたり、簡単に消したりできる白板機能を持たせたり、プロジェクターの映写画面としても使用できる。又、パネル板に鉄板を部分的に使用しマグネットを使用してメモ貼り板としても使用できる等の効果が存在する。
【０００５】  そして、ガラスとパネル板、或いはガラスの間にパネル板を中間膜で一体に合わせたガラス複合板材を用いることにより、下地材に容易に取り付ける事が出来るので材料コストと手間を軽減し、ガラス自体耐火性能があり、ガラス表面は汚れたり破れたりしないので耐久性があり、意匠性に優れた内外装材として使用できる。
【発明を実施するための最良の形態】
【０００６】  図１は、第１の実施例の平面図である。板ガラス１は、板透明なフロートガラス、熱線吸収ガラス、熱線反射ガラス、（透明な金属膜を有する）発熱ガラス、塗装ガラス、ミラーガラス等から成り、その上にガラス以外の無機質材として、石膏ボード又はケイカル板、フレキシブルボード、珪酸カルシュウム板、化粧合板、アルミハニカムパネル、紙製ハニカム、鉄板、等のパネル材２をＰＶＢ、ＥＶＡ、或いは反応硬化性アクリル樹脂の中間膜３で接着してガラス複合板材を構成させている。尚、前記板ガラス１に、透明なガラスを使用する場合はパネル材２の板ガラス１との合わせ側に塗装等で着色しておく事が望ましい。【０００７】  上記の実施例では板ガラス１とパネル材２は、ほぼ同寸であり、更に、下地材７へは両面テープと接着材４を併用して貼り付けたり、周囲に枠材５を配置して固定する事もできる。尚、板ガラス１が、通電により発熱する発熱層を有したガラスの場合には、パネル材３を貫通して通電線６を配置する事が出来る。【０００８】  図２、図３は、本発明の第２実施例の平面図、立面図を示している。この実施例では、パネル材２の二辺、乃至四辺を板ガラス１よりやや大きくし、下地材７への取付は、先ず、板ガラス１から少し張り出したパネル材２を下地材７に、釘、ホチキス、木ねじ等のファスナーで固定し、板ガラス１の間は、シリコンシール、ゴムビード等のシール材８で目地を塞ぎ、埃や水分の浸入を防ぐ。また、発熱ガラスの場合には、この目地間に通電のための線を通す事も出来る。【０００９】  図４、図５は、本発明の第３の実施例の平面図と立面図を示している。この実施例は、パネル材２の両側に板ガラス１を複合させたガラス複合板として構成させており、図は、これを間仕切り壁に取り付けた状態を示している。【００１０】  図６は、本発明の第４の実施例で、第１の実施例のガラス複合板材を、床面に使用した場合を示している。この実施例においては、板ガラス１へ発熱ガラスを使用することで、床暖房として使用できる。本発明の複合材の場合は、発熱体と断熱材が一体化されているため、故障の心配が無く、汚れる事もない。尚、ガラス表面は滑り止めのため全面エッチング加工や部分エッチングを施す事が望ましい。【００１１】  図７、図８は第５実施例の正面図、断面図を示している。この実施例は、窓に使用した場合を示し、パネル材の一部をくりぬいてガラスと複合する事により、一部透視可能なガラス複合板材になる。
【発明の効果】
【００１２】  ガラス複合板材を構成する石膏ボード等のパネル材には塗装や化粧シートを貼り付けた材料を使用すれば透明な金属膜を有する発熱ガラスと中間膜で一体化すれば意匠性に富んだ化粧材として使用できる。又、万が一ガラスが割れても飛散する事がなく、安全である。ガラス自体は汚れ難く、又油性インクで書き込みをしても綺麗にクリーニングができ半永久的に使用可能である。ガラス表面に適切なマット処理をすれば水性インクで書ける黒板にもなる。パネル板のガラス面との合わせ面、又はガラス板の裏面を白塗装やメタリック塗装にすれば映写スクリーンとしても使用できる。ガラス複合板材はユニット化して使用でき、施工性が良い。
壁面や床面では、透明な金属膜に通電することにより、遠赤外線を放射する面発熱によりエアコン等の従来暖房での不快な空気対流がない快適な室内環境を作る事ができ、パネル材に耐火、断熱、遮音性能のある材料を使用する事し、本来耐火、断熱、遮音性能の優れたガラスと一体にする事により高性能なガラス複合板材として使用できる。特に遮音性能はガラスの共振コーインシデンス周波数は通常の遮音材とは異なるので複合する事で高い遮音性能が得られる。
【図面の簡単な説明】
【００１３】
【図１】本発明の第１の実施例の平面図である。
【図２】本発明の第２実施例の平面図である。
【図３】本発明の第２実施例の立面図である。
【図４】本発明の第３の実施例の平面図である。
【図５】本発明の第３の実施例の立面図である。
【図６】本発明の第４の実施例の説明図である。
【図７】本発明の第５実施例の正面図である。
【図８】本発明の第５実施例の断面図である。
【図９】従来の施工形態を示す説明図である。
【図１０】従来の施工形態を示す説明図である。
【符号の説明】
【００１４】  １  板ガラス
２  パネル材
３  中間膜
４  接着材
５  枠材
６  通電線
７  下地材
８  シール材
８１  緩衝材
９  受材
１０  床面
１１  モルタル材
１２  コンクリート床
【図１】
2005281119.tif 000002
【図２】
2005281119.tif 000003
【図３】
2005281119.tif 000004
【図４】
2005281119.tif 000005
【図５】
2005281119.tif 000006
【図６】
2005281119.tif 000007
【図７】
2005281119.tif 000008
【図８】
2005281119.tif 000009
【図９】
2005281119.tif 000010
【図１０】
2005281119.tif 000011